(57)【特許請求の範囲】
【請求項１】
電子レンジ機能とガスオーブン機能とを備えた複合加熱調理機器において、前記電子レンジ機能の高圧回路を形成する高圧トランスの一次入力を入切する第１の制御リレーと、前記高圧回路の電気部品を冷却する冷却ファンモータを入切する第２の制御リレーとを備え、前記２個の制御リレーは前記高圧トランスを両切りする構成とし、前記冷却ファンモータ入力の一方を第１の制御リレーの電源側に、他方を第２の制御リレーの前記高圧トランス側に結線し、前記電子レンジ弱出力動作時には前記第１の制御リレーを断続させて前記高圧トランスのみを断続し、電子レンジ機能とガスオーブン機能を同時に使用する同時調理時には前記第２の制御リレーを断続させて前記高圧トランスと前記冷却ファンモータとを同期させて断続する構成とした複合加熱調理機器の回路構成。
【請求項２】
冷却ファンモータにフォトセンサや風圧センサ等のモータ回転検出機能を備え、機器の非動作時に前記冷却ファンモータの回転を検出すると少なくともエラー表示または報知音で使用者に異常を知らせる構成とした請求項１記載の複合加熱調理機器の回路構成。
【請求項３】
調理庫内に熱風を循環させる循環ファンモータと、前記循環ファンモータを制御する制御リレーと、前記循環ファンモータの回転を検出するフォトセンサとを備え、前記循環ファンモータ入力の一方を高圧トランスの第１の制御リレーの電源側から、他方を前記高圧トランスの第２の制御リレーの前記高圧トランス側から引き出し、機器の動作終了後に前記循環ファンモータの制御リレーをＯＮし、前記フォトセンサによって回転を検出すると前記高圧トランスを制御するリレーが短絡しているとみなし、エラー表示や報知音で使用者に異常を知らせる構成とした請求項１記載の複合加熱調理機器の回路構成。
【発明の詳細な説明】
【０００１】
【発明の属する技術分野】
本発明は、電子レンジ機能とガスオーブン機能を備えた複合加熱調理機器の回路構成に関するものである。
【０００２】
【従来の技術】
従来、電子レンジ機能とガスオーブン機能を備えた複合加熱調理機器は図５に示すように、電子レンジの高圧回路は高圧を発生する高圧トランス１と高周波を発振するマグネトロン２と高圧コンデンサ３と高圧ダイオード４から構成されている。また、前記高圧回路を冷却する冷却ファンモータ５、調理庫内の照明であるオーブンランプ６、調理物を回転させるターンテーブルモータ７、ガスオーブン時に調理庫内の熱風を循環させる循環ファンモータ８を備えており、制御基板上９の制御リレー１０、１４によって制御されている。機器の動作中に使用者が調理庫の扉を開けた時にはドアスイッチ１２の接点がＯＦＦするとともにドア信号スイッチ１３によって前記制御基板９に信号が送られ、制御リレー１０、１４がＯＦＦされて動作が停止する回路構成となっていた。
【０００３】
【発明が解決しようとする課題】
しかしながら上記従来の構成では、機器の非動作時であっても調理庫の扉を閉じていてドアスイッチ１２の接点がＯＮした状態であれば、高圧トランス１を制御する制御リレー１０の接点が何らかの異常でＯＮしてしまうと前記高圧トランス１に電源１６が入力されて高圧回路が作動してしまい、冷却ファンモータ５は動作しないことから前記高圧トランス１やマグネトロン２等の電気部品の温度が上昇して故障してしまうという問題があった。
【０００４】
そこで本発明は、制御リレーの異常によって作動した高圧回路の電気部品が異常な温度上昇によって故障することを防ぐことを第一の目的とする。
【０００５】
また、制御リレーの接点がＯＮしたままの状態の時には少なくともエラー表示または報知音によって使用者に異常を知らせることを第二の目的とする。
【０００６】
【課題を解決するための手段】
この課題を解決するために本発明は、機器の動作時には冷却ファンモータと高圧トランスの同期、非同期動作を自在に選択できるとともに、機器の非動作時には冷却分モータと高圧トランスを同期させるように構成したものである。これにより、制御リレーの異常によって他の電気部品が連鎖的に故障することのない複合加熱調理機器が得られる。
【０００７】
【発明の実施の形態】
本発明の請求項１に記載の発明は、電子レンジ機能とガスオーブン機能とを備えた複合加熱調理機器において、前記電子レンジ機能の高圧回路を形成する高圧トランスの一次入力を入切する第１の制御リレーと、前記高圧回路の電気部品を冷却する冷却ファンモータを入切する第２の制御リレーとを備え、前記２個の制御リレーは前記高圧トランスを両切りする構成とし、前記冷却ファンモータ入力の一方を第１の制御リレーの電源側に、他方を第２の制御リレーの前記高圧トランス側に結線し、前記電子レンジ弱出力動作時には前記第１の制御リレーを断続させて前記高圧トランスのみを断続し、電子レンジ機能とガスオーブン機能を同時に使用する同時調理時には前記第２の制御リレーを断続させて前記高圧トランスと前記冷却ファンモータとを同期させて断続する構成としたもので、機器の動作時には冷却ファンモータと高圧トランスの同期、非同期動作を自在に選択できるとともに、機器の非動作時には冷却分モータと高圧トランスが必ず同期するため、前記第１及び第２の制御リレーの異常時でも高圧回路の電気部品は故障が発生するような温度にはならないというものである。
【０００８】
本発明の請求項２に記載の発明は、冷却ファンモータにフォトセンサや風圧センサ等のモータ回転検出機能を備え、機器の非動作時に前記冷却ファンモータの回転を検出すると少なくともエラー表示または報知音で使用者に異常を知らせる構成としたものであり、制御リレーの異常を使用者に知らせるという作用を有する。
【０００９】
本発明の請求項３に記載の発明は、調理庫内に熱風を循環させる循環ファンモータと、前記循環ファンモータを制御する制御リレーと、前記循環ファンモータの回転を検出するフォトセンサとを備え、前記循環ファンモータ入力の一方を高圧トランスを制御する第１の制御リレーの電源側から、他方を前記高圧トランスの第２の制御リレーの前記高圧トランス側から引き出し、機器の動作終了後に前記循環ファンモータの制御リレーをＯＮし、前記フォトセンサによって回転を検出すると前記高圧トランスの制御リレーが短絡しているとみなし、エラー表示や報知音で使用者に異常を知らせる構成としたものであり、制御リレーの異常を使用者に知らせるという作用を有する。
【００１０】
以下、本発明の実施例について、図面を用いて説明する。
【００１１】
図１は本発明の参考例として、高圧トランス１と冷却ファンモータ５を入切する制御リレー１０を共用した場合の回路構成図を示す。図１において高圧トランス１と冷却ファンモータ５は制御リレー１０によって制御される。そして、冷却ファンモータ５の一端は制御リレー１０と高圧トランス１の一次側との間に、また他の一端は高圧トランス１の一次側の他端と電源１６との間に結線する構成としたので、前記制御リレー１０の接点がが何らかの異常で短絡した時でも前記高圧トランス１に同期した前記冷却ファンモータ５が作動するために高圧回路の電気部品は故障が発生するような温度にはならないという効果がある。
【００１２】
図２は本発明の実施例の回路構成図を示し、図２において高圧トランス１はより安全性を高めるために第１および第２の制御リレー１１ａ、１１ｂの２個のリレーで制御されている。冷却ファンモータ５の入力の片側は前記第２制御リレー１１ｂの前記高圧トランス１側に、もう一方は前記第１の制御リレー１１ａの電源１６側に接続されている。
【００１３】
上記のような回路構成にすることによって、例えば電子レンジの弱出力のように前記高圧トランス１のＯＮ時間が比較的長くなる調理モードの時には前記第１の制御リレー１１ａによって前記高圧トランス１を断続させて前記第２の制御リレー１１ｂは連続ＯＮの状態にすることによって前記高圧トランス１に同期させずに前記冷却ファンモータ５を連続動作させている。
【００１４】
また、電子レンジとガスオーブンの同時調理のように前記高圧トランス１のＯＮ時間が比較的短く、前記冷却ファンモータ５を動作させることによって前記ガスオーブンの熱気が機器各部に撹拌されるような不具合が生じる時には前記第２の制御リレー１１ｂによって前記高圧トランス１を断続させて前記第１の制御リレー１１ａは連続ＯＮの状態にすることによって前記高圧トランス１に同期させて前記冷却ファンモータ５を断続動作させている。
【００１５】
上記のように機器の動作時には前記冷却ファンモータ５と高圧トランス１の同期、非同期動作を自在に選択できるとともに、機器の非動作時には前記冷却ファンモータ５と高圧トランス１は必ず同期するために、前記第１および第２の制御リレー１１ａ、１１ｂの異常時でも高圧回路の電気部品は故障が発生するような温度にはならないという効果がある。
【００１６】
図３は図１の回路構成において冷却ファンモータ５にフォトセンサ１５を備えた場合の回路構成図を示す。図３において冷却ファンモータ５に備えられたフォトセンサ１５によって常に前記冷却ファンモータ５の回転を検出している。機器の非動作時に前記冷却ファンモータ５の回転を検出するとブザー警告音によって使用者に知らせるとともに、機器の表示管に故障モードを表示するようになっており、制御リレー１０の異常の初期段階に使用者に報知するという効果がある。
【００１７】
図４は本発明の他の実施例の回路構成図を示し、図４において循環ファンモータ８にフォトセンサ１５が備えられている。使用者は調理終了後、調理庫の扉を開けて調理物を取り出して前記調理庫の扉を閉める。
【００１８】
この時、前記循環ファンモータ８を制御する制御リレー１４を前記循環ファンモータ８の回転立ち上がりに必要な時間ＯＮさせ、前記フォトセンサ１５が回転を検知すればブザー警告音によって使用者に知らせるとともに、機器の表示管に故障モードを表示するようになっており、調理終了後使用者が機器の近くにいるときに異常を報知できるという効果がある。
【００１９】
【発明の効果】
以上のように本発明によれば、機器の動作時には冷却ファンモータと高圧トランスの同期、非同期動作を自在に選択できるとともに、機器の非動作時には冷却分モータと高圧トランスが必ず同期するため、何らかの異常で前記高圧トランスの制御リレー接点が短絡しても電気部品の温度が異常に上昇することがなくなり故障しにくくなる。
【００２０】
また、冷却ファンモータや循環ファンモータの回転を検出する構成としたので、異常が生じた場合、使用者に異常を容易に知らせることができる。
【図面の簡単な説明】
【図１】  本発明の参考例の複合加熱調理機器の回路構成を示す回路図
【図２】  本発明の一実施例の加熱調理機器の回路構成を示す回路図
【図３】  本発明の参考例の複合加熱調理機器の回路構成を示す回路図
【図４】  本発明の他の実施例の複合加熱調理機器の回路構成を示す回路図
【図５】  従来の複合加熱調理機器の回路構成を示す回路図
【符号の説明】
１  高圧トランス
５  冷却ファンモータ
８  循環ファンモータ
１０  制御リレー
１１ａ、１１ｂ  制御リレー
１４  制御リレー
１５  フォトセンサ
１６  電源
【図１】
0003651100.tif 000002
【図２】
0003651100.tif 000003
【図３】
0003651100.tif 000004
【図４】
0003651100.tif 000005
【図５】
0003651100.tif 000006